(57)【特許請求の範囲】
【請求項１】
キャビネット内に収納した貯尿架台を移動具に沿い出し入れして使用する方式の貯尿装置であって、前記貯尿架台は、架台に貯尿袋を装着する支持材を設けると共に前記架台に貯尿袋用の蓋を開閉自在に設けて構成し、該蓋外表面と前記キャビネットの天板内壁面とを、Ｕ字形に変形可能で柔軟性を有すると共に弾性力を有する帯状物からなる開閉具で連結し、前記キャビネット内から前記貯尿架台を出し入れするに伴い、それに連動して前記開閉具により前記蓋を引いて貯尿袋の口部を略全開させ、前記貯尿架台を戻した際開閉具の弾性力により蓋を閉じるようにしたことを特徴とする貯尿装置。
【請求項２】
前記貯尿架台上端部には、消臭剤が着脱自在に付設されている請求項１記載の貯尿装置。
【請求項３】
キャビネット内に収納した貯尿架台を移動具に沿い出し入れして使用する方式の貯尿装置であって、前記貯尿架台は、架台に貯尿袋を装着する支持材を設け、該支持材と前記キャビネットとの間に、柔軟性を有すると共に弾性力を有するベルト体を、前記貯尿袋の口部上に載せた状態で設け、前記キャビネット内から前記貯尿架台を出し入れするに伴い、それに連動して前記ベルト体が前記口部上から退いて前記口部を略全開させるとともに、戻って閉じるようにしたことを特徴とする貯尿装置。
【請求項４】
キャビネットの扉と、貯尿装置における貯尿架台との間に、該貯尿架台を移動具に沿いキャビネット内から出し入れする出入装置を設けてなり、前記扉を開閉することで前記出入装置により貯尿架台を移動具に沿い出し入れし、同時に貯尿袋の口部も開閉することを特徴とする請求項１ないし３のいずれか１項記載の貯尿装置。
【発明の詳細な説明】
【０００１】
【発明の属する技術分野】
本発明は、病院等に設置する貯尿装置に関し、より詳しくは、通常、キャビネット内に収納され、使用時にキャビネットから取り出せ、且つ貯尿袋の口部も開く方式の貯尿装置に関する。
【０００２】
【従来の技術】
従来の貯尿装置は、病院等の手洗いに設置され、架台に吊り下げられ、剥き出しの状態にある貯尿袋に患者が採取した尿を入れて一時貯尿しておくものが一般的である。通常、この貯尿装置が設置された手洗いに隣接して尿処置室があり、検査員が一定のローテーションにて、貯尿装置に一時貯尿された貯尿袋を回収した後、支柱に新しい貯尿袋を吊り下げて次の貯尿に備えるようになっている。回収した貯尿袋内の尿は、その重量や比重等の物理値が直ちに測定され、必要に応じてその他の検査用として所定量が採取され冷蔵されて、不用となった尿は廃棄される。
【０００３】
上記のような尿処置室から検査員が手洗いに赴いて、一時貯尿された貯尿袋を回収する煩わしさを解消した貯尿装置（実開平１−１３０７１８号公報）が知られている。この貯尿装置は、隣り合わせの手洗いと尿処置室との間に配置され、架台に吊り下げられた貯尿袋における蓋が、手洗い側と尿処置室側との双方から開閉出来るようになっている。したがって、手洗い側の患者は、貯尿装置の蓋をあけ、紙コップ等に採取した尿を貯尿袋に入れ蓋を閉めることができる。一方、検査員は、尿処置室側から貯尿装置の蓋をあけ、患者の尿の入った貯尿袋を取り出し、新しい貯尿袋を貯尿装置に吊り下げて、蓋を閉めることが出来る。回収された貯尿袋内の尿は、上述と同様に処置される。
【０００４】
また、立地条件に縛られず、貯尿袋が直接視線に触れることがなく、しかも臭いが貯尿袋から漏れないようにした貯尿装置（本出願人による特開平１１−３４７０７７号公報）が知られている。
この貯尿装置ａは、図８に示すように、キャビネット内に貯尿架台ｂを収納し、この貯尿架台ｂは、架台ｃ上部に貯尿袋ｄの口部ｅの支持材ｆを１以上設けると共に、架台ｃ下部に１以上の支持材ｆに沿う貯尿袋ｄの受けｇを１以上設け、貯尿袋ｄの口部ｅを開閉する蓋ｈを設けて構成し、この貯尿架台ｂを移動具によりキャビネット内から出し入れ自在としたものである。
【０００５】
したがって、この貯尿装置ａによれば、患者が紙コップ等に尿を採取した時、キャビネット内から貯尿架台ｂを引出し、蓋ｈを開けて貯尿袋ｄに尿を入れ、蓋ｈを閉じて再びキャビネット内に戻す、一方、検査員が貯尿袋ｄを取り出す時も同じようにキャビネットから貯尿架台ｂを引出し蓋ｈを開け貯尿袋ｄを取り出し、空いた支持材ｆに新しい貯尿袋ｄを取り付け蓋ｈを閉じて再び貯尿架台ｂをキャビネットに戻すから、関係者以外の者が貯尿袋ｄを設置した手洗いを使用しても、貯尿袋ｄが直に人目に触れることがない。回収された貯尿袋ｄ内の尿は、上述と同様に処置される。
【０００６】
【発明が解決しようとする課題】
しかしながら、上記の従来例では、剥き出しの状態にある貯尿袋に尿が一時貯尿されるから、採尿する患者以外の患者の目にも触れることになり、悪印象を与えるし、更に、貯尿袋の口部にある蓋は、患者あるいは検査員が自らの手指で開けなければならず衛生的でなく、更に密封状態にならず、臭いが漏れ易いという問題がある。
【０００７】
また、前述した従来例は、貯尿袋における蓋が手洗い側と尿処置室側との双方から開閉出来るようになって、検査員の労力を減らす点では都合が良いものの、貯尿袋が剥き出しになって他の患者の目に触れたり、患者あるいは検査員が自らの手指で蓋を開けるから衛生的でなく、臭いが漏れるのも前者と同様である。更に、尿処置室側から貯尿袋における蓋を開閉出来るようにした結果、他の患者が手洗いを使用している際には、検査員であっても尿処置室側から貯尿袋を取り出す行為は行いにくい。加えて、この貯尿装置は、隣り合わせの手洗いと尿処置室との間に配置されるような立地条件の下で、威力を発揮するものであり、大病院等にその設置が限定されてしまうという問題がある。
【０００８】
更に、後者の前記従来例は、立地条件に縛られず、貯尿袋ｄが直接視線に触れることがなく、しかも臭いが貯尿袋ｄから漏れないようにした点では都合が良いものの、患者が紙コップ等に尿を採取した時も、検査員が貯尿袋ｄを取り出す時も、キャビネット内から貯尿架台ｂを引出した後、患者および検査員が自らの手指にて貯尿袋ｂの蓋ｈの開閉を行うことになり、衛生的ではなく、手間もかかるという問題がある。
【０００９】
そこで、本発明の目的は、立地条件に縛られず、通常はキャビネット内に収納されて、貯尿袋が直に人目に触れることがなく、人の手指を使わずにキャビネットの蓋の開閉に伴って貯尿袋の出し入れができ、しかも臭いが貯尿袋から漏れないようにした貯尿装置を提供することにある。
【００１０】
【課題を解決するための手段】
本発明は、上記目的を達成するために提案されたものであって、下記の構成からなることを特徴とするものである。
すなわち、キャビネット内に収納した貯尿架台を移動具に沿い出し入れして使用する方式の貯尿装置であって、前記貯尿架台は、架台に貯尿袋を装着する支持材を設けると共に前記架台に貯尿袋用の蓋を開閉自在に設けて構成し、該蓋外表面と前記キャビネットの天板内壁面とを、Ｕ字形に変形可能で柔軟性を有すると共に弾性力を有する帯状物からなる開閉具で連結し、前記キャビネット内から前記貯尿架台を出し入れするに伴い、それに連動して前記開閉具により前記蓋を引いて貯尿袋の口部を略全開させ、前記貯尿架台を戻した際開閉具の弾性力により蓋を閉じるようにしたことを特徴とする貯尿装置が提供される。
【００１１】
また、本発明によれば、前記貯尿架台上端部には、消臭剤が着脱自在に付設されている上記貯尿装置が提供される。
【００１３】
また、本発明によれば、キャビネット内に収納した貯尿架台を移動具に沿い出し入れして使用する方式の貯尿装置であって、前記貯尿架台は、架台に貯尿袋を装着する支持材を設け、該支持材と前記キャビネットとの間に、柔軟性を有すると共に弾性力を有するベルト体を、前記貯尿袋の口部上に載せた状態で設け、前記キャビネット内から前記貯尿架台を出し入れするに伴い、それに連動して前記ベルト体が前記口部上から退いて前記口部を略全開させるとともに、戻って閉じるようにしたことを特徴とする貯尿装置が提供される。
【００１４】
また、本発明によれば、キャビネットの扉と、貯尿装置における貯尿架台との間に、該貯尿架台を移動具に沿いキャビネット内から出し入れする出入装置を設けてなり、前記扉を開閉することで前記出入装置により貯尿架台を移動具に沿い出し入れし、同時に貯尿袋の口部も開閉することを特徴とする上記貯尿装置が提供される。
【００１５】
【発明の実施の形態】
以下に、図面を参照して本発明の実施の形態を説明する。
図１は本発明の実施の形態を示す貯尿装置の側面図、図２は同貯尿装置の斜視図、図３は同貯尿装置の正面図、図４は同貯尿装置を設置した状態を示す平面図である。図において、貯尿装置１は、キャビネット８内に収納した貯尿架台７を移動具９に沿い出し入れ自在にして使用する方式であって、この貯尿架台７は、架台２に貯尿袋３を装着する支持材４を設けると共に、架台２に貯尿袋３用の蓋５を開閉自在に設けて構成し、この蓋５の外表面とキャビネット８の天板内壁面を、Ｕ字形に変形可能で柔軟性を有すると共に弾性力を有する帯状物からなる開閉具６によって連結し、キャビネット８内から貯尿架台７を出し入れすると、それに連動する開閉具６により蓋５を引いて開き、貯尿架台を戻した際開閉具の弾性力により蓋を閉じるものである。
【００１６】
前記架台２は、台座１０上に支柱２ａを取付プレート１１により立設されてなり、その支柱２ａ上部に側面形状がＬ字状の取付アーム１２が取り付けられている。この取付アーム１２のフラットバー１３には、前記蓋５が回動自在に取り付けられている取付座１４が、支持材４により取り付けられている。
すなわち、支持材４は丸棒にて構成され、その一端側が貯尿袋３を吊るした際落ちにくくするために若干曲げられ、他端側はネジが切られ、続いて段差が設けられている。その状態の支持材４は、他端側からフラットバー１３および取付座１４に開けられた孔に２本通され、フラットバー１３側でナットで締めつけられ段差との協同で、取付アーム１２に取付座１４および２本の支持材４が取り付けられる。
【００１７】
前記貯尿袋３は、その上部に２つの輪３ｂが取り付けられ、その２つの輪３ｂが２本の支持材４に通されて、吊るされる。その口部３ａは開放状態となっているから、貯尿袋３に患者の尿が入れられ一時的にせよ放置された場合、臭いが放出される。そこで、前記蓋５が取付座１４に軸１５により開閉自在に取り付けられ、この蓋５が貯尿袋３の口部３ａを略覆うようになるが、若干の隙間が出来るため、不充分である。そこで、蓋５はトレー状に形成され、その中に取り替え自在のカセット式の脱臭剤１６が嵌め込まれている。したがって、蓋５と口部３ａとの隙間から漏れる臭いは、消臭剤１６により吸着され著しく弱まり外部にまで臭いが漏れることはない。
【００１８】
そして、蓋５の外表面には取付具１７ａが取り付けられ、キャビネット８の天板内壁面にも同様の取付具１７ｂが取り付けられ、これら取付具１７ａと取付具１７ｂに前記開閉具６を取り付けて両者を連結する。開閉具６として、柔軟性を有すると共に弾性力を有する帯状物を用いており、この帯状物の弾性力に抗してＵ字形に曲げた状態の開閉具６の両端部を、蓋外表面の取付具１７ａおよびキャビネットの天板内壁面の取付具１７ｂに取り付けることで、蓋５とキャビネット８とを連結している。
【００１９】
したがって、キャビネット８内から後に詳述する移動具９に沿い貯尿架台７を引き出すと、柔軟性および弾性力を有する帯状物の開閉具６は、Ｕ字形に曲がった状態から直線状に変形して行き、開閉具６の長さを越えて、蓋５を引っ張り開き出し、蓋５が９０度以上開けば後は蓋５の自重にて貯尿袋の口部が略全開する（図５参照）。逆に、キャビネット８内に貯尿架台７を戻すと、開閉具６の弾性力により蓋５を戻して閉じて行き、更にＵ字形まで戻ると、今度は開閉具６の弾性力により蓋５を貯尿袋３の口部３ａ上に押さえ付けるように働いて、蓋５と口部３ａとの密着性を高める。すなわち、蓋５の外表面とキャビネット８の天板内壁面とをＵ字形に変形可能で柔軟性を有すると共に弾性力を有する帯状物からなる開閉具６で連結することで、キャビネット８内から貯尿架台７を出し入れすると同時に、蓋５による貯尿袋３の口部３ａの開閉動作も併せて行うことができる。
【００２０】
また、図１、５の２点鎖線で示すように、開閉具６の帯状物を、大型にして前記貯尿袋３の口部３ａ上に載せた状態で塞ぐようにし、蓋５を兼ね備えるベルト体６ａとしても良い。すなわち、蓋５、取付座１４およびこれらを開閉自在に取り付ける軸１５がなく、ベルト体６ａはその一端が取付アーム１２に取り付けられ、他端がキャビネット８の内壁面に取付具１７ｃにより取り付けられている。このベルト体６ａは、開閉具６の帯状物と同様に、柔軟性を有すると共に弾性力を有するから、前記キャビネット８内から前記貯尿架台７を出し入れすると、それに連動してベルト体６ａが変形しつつ口部３ａ上から退いて口部３ａを開き、戻って閉じることが出来、貯尿袋３の口部３ａの開閉動作を併せて行うことが出来るものである。更に、このベルト体６ａの口部３ａを開閉する部分にベルト体６ａと同様に変形可能な消臭剤を着脱自在に付設してもよく、そのようにすれば貯尿袋３から漏れた臭いが消臭剤に吸着され外に漏れ難くできる。
【００２１】
なお、架台２の支柱２ａの下部および台座１０上には、支持材４に装着された貯尿袋３の受け１８が設けられ、この受け１８は、バット受け２０と、このバット受け２０に載せられる水受けバット２１とからなる。この受け１８は、その水受けバット２１にて前記支持材４に吊るされた貯尿袋３の底部を受けるから、仮に貯尿袋３に孔が開いて尿が漏れても、水受けバット２１で受け外部に溢れないようになっている。また、図１ないし３における２２は、支柱２の中間部に取り付けられた引手であり、この引手２２により前記貯尿架台７が出し入れ自在になる。
【００２２】
上述のように構成した貯尿架台７は、好ましい態様としては、図４に示すように、手洗い２３の洗面台２４の下部にある前記キャビネット８に収納される。この洗面台２４の下部には観音開きの扉２５が取り付けられ、キャビネット８に対する外部からの視線を遮る。この貯尿架台７は、前記移動具９により使用時にキャビネット８から引き出され、不使用時にキャビネット８に戻され、関係者以外の人の目に触れることはない。この移動具９は、図３に示すように、キャビネット８に設けられたスライドレール２６と、貯尿架台７の台座１０裏面に設けられたスライド受け２７とからなり、スライドレール２６上に貯尿架台７を移動させ得るものである。この移動具９は、特に限定がないから、キャビネット８および貯尿架台７のいずれか一方にのみ取り付けられていても良く、例えば、貯尿架台７の台座１０にキャスターを取り付けても、キャビネット８にロールを多数並べ、貯尿架台７をそのロール上を移動させるようにしてもよい。
【００２３】
次に、上記構成になる貯尿装置１の使用方法を説明する。
まず、図４に示す洗面台２４の扉２５を開き、キャビネット８にスライドレール２６を設け、そのスライドレール２６上にスライド受け２７を載せて、貯尿架台７を移動させ得るようにする。次に、キャビネット８の天板内壁面に取付具１７ｂを取り付け、この取付具１７ｂに帯状物の開閉具６の一端を取り付け、他端を蓋５外表面の取付具１７ａに取り付けて連結する。支持材４に輪３ｂを通し、空の貯尿袋３を吊り下げその下部が受け１８に位置するようにし、蓋５にカセット式の脱臭剤１６を嵌め込み、引手２２にて貯尿架台７をキャビネット８内に収納し、扉２５を閉じ準備が終了する。
【００２４】
患者が採尿したあと、洗面台２４の扉２５を開き、引手２２によりキャビネット８から貯尿架台７を引き出すと、患者の手指を煩わすことなく開閉具６により連動して蓋５が９０度以上に開き、貯尿袋の口部が略全開するから貯尿袋３に尿を入れ、再び貯尿架台７をキャビネット８内に戻すと、開閉具６により連動して蓋５が閉じ且つ貯尿袋３の口部３ａ上に密着し、更に扉２５を閉じる。貯尿袋３内の尿から臭いが漏れるが、蓋５に嵌め込まれている消臭剤１６により吸着され、臭気強度が著しく下げられて臭いが外部にまで漏れることがほとんどなくなる。所定のローテーションで検査員が、洗面台２４の扉２５を開き、キャビネット８から貯尿架台７を引き出すと、上記と同様に検査員の手指を煩わすことなく、開閉具６により連動して蓋５が開くから、患者の尿の入った貯尿袋３を回収し、支持材４に新しい貯尿袋３を吊り下げて、次の患者の採尿に備える。検査員が再び貯尿架台７をキャビネット８内に戻すと、開閉具６により連動して蓋５が閉じ且つ貯尿袋３の口部３ａ上に密着し、更に扉２５を閉じる。
【００２５】
図６、７は本発明の他の実施形態を示すもので、この貯尿装置１ａと図１ないし５に示す実施形態との相違点は、キャビネット８の扉２５と、上記した貯尿装置１における貯尿架台７との間に、移動具９に沿い貯尿架台７をキャビネット８内から出し入れする出入り装置３０を設けてなり、扉２５を開閉することで出入装置３０により貯尿架台７を移動具９に沿い出し入れし、且つ貯尿袋３の口部３ａも開閉する点にある。すなわち、出入装置３０は、上記の通りの貯尿装置１の台座１０に支点軸３１を設け、扉２５にも支点軸３２を設け、これら支点軸３１、３２間にリンク３３を回動自在に設けてなるものである。したがって、キャビネット８の扉２５を開閉すると、出入装置３０により貯尿架台７を出し入れし、同時に貯尿袋３の口部３ａの開閉動作も併せて行うことができる。
【００２６】
以上、本発明の実施形態を説明したが、発明の要旨を逸脱しない限り、具体的な構成はこれに限定されるものではない。
【００２７】
【発明の効果】
以上詳述したように、本発明によれば、患者が尿を採取した時、キャビネット内から貯尿架台を引出すと、Ｕ字形に変形可能で柔軟性を有すると共に弾性力を有する帯状物からなる開閉具を用いることにより同時に蓋が９０度以上に開くから貯尿袋に尿を入れ、キャビネット内に貯尿架台を戻すと蓋を閉じ、検査員が貯尿袋を取り出す時も、同様に開閉具により蓋を開け貯尿袋を取り出し、空いた支持材に新しい貯尿袋を取り付け、キャビネット内に貯尿架台を戻すと蓋を閉じ、患者および検査員が手指を使わずに蓋の開閉ができ、関係者以外の者が貯尿袋を設置した手洗いを使用しても、その目に貯尿袋が直に触れることがない。したがって、立地条件に縛られず、通常はキャビネット内に収納されて、直ちに人目に貯尿袋が触れることがなく、貯尿架台を引出すと同時に人の手指を使わずに貯尿袋の蓋の開閉ができて、手間が減り衛生的であり、しかも臭いが貯尿袋から漏れづらい。
【図面の簡単な説明】
【図１】本発明の実施の形態を示す貯尿装置の側面図である。
【図２】同貯尿装置の斜視図である。
【図３】同貯尿装置の正面図である。
【図４】同貯尿装置を設置した状態を示す平面図である。
【図５】同貯尿装置の使用状態を示す側面図である。
【図６】本発明の他の実施の形態を示す貯尿装置の平面図である。
【図７】本発明の他の実施の形態を示す貯尿装置の使用状態の平面図である。
【図８】従来例を示す斜視図である。
【符号の説明】
１，１ａ，ａ              貯尿装置
２，ｃ                    架台
２ａ                      支柱
３，ｄ                    貯尿袋
３ａ，ｅ                  口部
３ｂ                      輪
４，ｆ                    支持材
５，ｈ                    蓋
６                        開閉具
６ａ                      ベルト体
７，ｂ                    貯尿架台
８                        キャビネット
９                        移動具
１０                        台座
１１                        取付プレート
１２                        取付アーム
１３                        フラットバー
１４                        取付座
１５                        軸
１６                        消臭剤
１７ａ，１７ｂ，１７ｃ      取付具
１８，ｇ                    受け
２０                        バット受け
２１                        水受けバット
２２                        引手
２３                        手洗い
２４                        洗面台
２５                        扉
２６                        スライドレール
２７                        スライド受け
３０                        出入装置
３１，３２                  支点軸
３３                        リンク
【図１】
0004656769.tif 000002
【図２】
0004656769.tif 000003
【図３】
0004656769.tif 000004
【図４】
0004656769.tif 000005
【図５】
0004656769.tif 000006
【図６】
0004656769.tif 000007
【図７】
0004656769.tif 000008
【図８】
0004656769.tif 000009